【事件の表示】
　特願２０１４−５４０３５０「可視内容物を含む喫煙物品」拒絶査定不服審判事件〔平成２５年　５月１６日国際公開、ＷＯ２０１３／０６８１００、平成２６年１２月　８日国内公表、特表２０１４−５３２４３３〕について、次のとおり審決する。
【結　論】
　本件審判の請求は、成り立たない。
【理　由】
第１　手続の経緯
　本願は、２０１２年１１月６日（パリ条約による優先権主張外国庁受理　２０１１年１１月７日　欧州特許庁）を国際出願日とする出願であって、平成２７年６月２５日付けで拒絶理由が通知され、これに対して平成２７年１２月２５日に意見書及び手続補正書が提出され、平成２８年３月２８日に最後の拒絶理由が通知され、これに対して平成２８年９月２８日に意見書及び手続補正書が提出され、その後、平成２８年１１月２５日付けで拒絶査定がされ、これに対して、平成２９年３月３１日に拒絶査定不服審判が請求されたものである。
　
第２　原査定の拒絶の理由
　原査定の拒絶の理由は、少なくとも、この出願の請求項１〜１４に係る発明は、本願の優先権主張の日（以下「優先日」という。）前に日本国内又は外国において、頒布された又は電気通信回線を通じて公衆に利用可能となった下記の引用例２に記載された発明及び引用例１〜８に記載された事項に基づいて、その出願前にその発明の属する技術の分野における通常の知識を有する者が容易に発明をすることができたものであるから、特許法２９条２項の規定により特許を受けることができない、というものである。
引用例１.国際公開第２０１１／０７７１４１号
引用例２.国際公開第２０１１／１１８００１号
引用例３.米国特許第４９８４５８９号明細書
引用例４.中国実用新案第２０１６６７９８５号明細書
引用例５.実願昭６３−０２１８８１号（実開平０１−１２７４９５号）のマイクロフィルム
引用例６.国際公開第２０１１／１１７７４３号
引用例７.特表２００６−５１７１０６号公報
引用例８.国際公開第２００９／１０６３７４号
第３　本願発明について
１　本願発明
　特許請求の範囲の請求項１〜１４に係る発明は、平成２８年９月２８日の手続補正により補正された特許請求の範囲の請求項１〜１４に記載された事項により特定されるとおりのものであると認めるところ、請求項１に係る発明（以下「本願発明」という。）は、以下のとおりのものである。
「喫煙可能材料及びマウスピースを含む喫煙物品であって、該マウスピースは、軸方向に整列した少なくとも３つのセグメントを含み、１つのセグメントは、他の２つのセグメント間に配置された、破壊可能な流体含有カプセルが内部に配置されたキャビティを定め、該キャビティの少なくとも一部の上に重なり合う実質的に滑らかな透明部分を含む、透明ワニスを塗布された１又はそれ以上の層を有する第１のラッパーが、該第１のラッパーを通して前記カプセルが少なくとも部分的に見えるように少なくとも前記キャビティを取り囲み、前記カプセルの流体は、添加物又は香味で形成され、又はこれらを含む
ことを特徴とする喫煙物品。」
　
２　引用例
（１）引用例２
　原査定の拒絶の理由に引用され、本願の優先日前に頒布された刊行物である国際公開２０１１／１１８００１号（以下「引用例２」という。）には、次の事項が記載されている。（「・・・」は省略を意味する。以下同じ。）
（ア）「［００２０］図１に示すように、本発明に係るシガレットフィルタ１は、複数（図では２個）のフィルタ材２と、カプセル３と、成形紙４と、密着手段５で形成されている。フィルタ材２は、間隔を存して一方向に並べられている。フィルタ材２の間には空洞６が形成され、ここにカプセル３が配設されている。カプセル３には、液体からなる付香剤や吸着剤が封入されている。付香剤としては、例えば、メンソール等の香料等がある。吸着剤としては、例えば、ハイドロタルサイト等がある。カプセル３は、例えばゼラチンで形成されている。したがって、カプセル３を潰すことにより、内容液たる付香剤や吸着剤が放出される。複数のフィルタ材２及びカプセル３は、１枚の成形紙４で包み込まれている。フィルタ材２と成形紙４との間には、これらを密着させるための密着手段５が配設されている。この密着手段５の詳細については後述する。
［００２１］フィルタ材２は、フィルタ繊維（トウ）が表面に露出しているものである。具体的には、フィルタ繊維を加熱成形して、巻取紙を用いずに中実の円柱状としたものである。すなわち、上述したＮＷＡである。成形紙４は、カプセル３に封入された内容液の浸透を防止するための浸透防止材料を含んでいる。この浸透防止材料の含め方の詳細については後述する。
［００２２］以上のような構成により、成形紙４がカプセル３に封入された内容液の浸透を防止するため、将来カプセルフィルタシガレット７（図５参照）として用いた場合に、内容液がチップペーパ８（図５参照）に染み出すことを防止できる。さらに、複数のフィルタ材２と成形紙４との間に密着手段５が備わるため、カプセル３に封入された内容液がフィルタ材２と成形紙４との間から浸透していくことはない。したがって、将来カプセルフィルタシガレット７として用いた場合に、内容液がたばこロッド９（図５参照）の巻紙１０（図５参照）に染み出すことを防止できる。」
（イ）「［００２３］成形紙４を通して内容液が浸透することを確実に防止するため、成形紙４は、耐水性能を有する耐水紙、又は耐油性能を有する耐油紙、又は耐水及び耐油性能を有する耐水耐油紙を用いることができる。すなわち、成形紙４自体の材料として耐水耐油性能を有する浸透防止材料を用いる。これにより、カプセル３内に封入された内容液である液体が成形紙４を浸透することを確実に防止できる。なお、成形紙４に表面改質を施して耐油又は耐水性を付与してもよい。
［００２４］又は、図２に示すように、浸透防止材料として、耐水又は耐油性能を有するワックス１２を用いてもよい。この場合は、当該ワックス１２を成形紙４とフィルタ材２との密着する全面に塗布する。そして、成形紙４をラッピングする際、ワックス１２を溶解する。これにより、カプセル３内に封入された内容液である液体が成形紙４を浸透することを確実に防止できる。さらには、フィルタ材２と成形紙４との間の密着手段５としても用いることができるので、内容液がフィルタ材２と成形紙４との間を伝って浸透していくことも抑制できる。したがって、将来カプセルフィルタシガレット７として用いた場合に、内容液がチップペーパ８に染み出すことを防止できるとともに、内容液がたばこロッド９の巻紙１０に染み出すことも併せて防止できる。このワックス１２を用いれば、成形紙４を通過する内容液の浸透と、成形紙４の内側を伝う内容液の浸透の両方を防止できるので効率的である。」
（ウ）「［００２７］図５は上述したシガレットフィルタを用いたカプセルフィルタシガレットの概略断面図である。カプセルフィルタシガレット７は、シガレットフィルタ１と、たばこロッド９と、チップペーパ８からなる。たばこロッド９とシガレットフィルタ１は、チップペーパ８を介して接続されている。すなわち、チップペーパ８は、シガレットフィルタ１の全周を包み込み、それとともにたばこロッド９の端部をラッピングして保持している。たばこロッド９は、刻たばこ１１とこれを包み込む巻紙１０からなる。これにより、カプセル３を破砕した後もカプセル３に封入された内容液が指に付着したり、巻紙１０に浸透したりすることを防止でき、カプセルフィルタシガレット７として品質の向上を図ることができる。」
（エ）引用例２に記載された発明
　上記記載事項を総合すると引用例２には、次の発明（以下「引用発明」という。）が記載されている。
「シガレットフィルタ１と、たばこロッド９と、チップペーパ８からなるカプセルフィルタシガレット７であって、
　シガレットフィルタ１は、フィルタ材２が間隔を存して一方向に並べられ、フィルタ材２の間に空洞６が形成され、ここに、潰すことにより、内容液たる付香剤や吸着剤が放出されるカプセル３が配設されており、
　複数のフィルタ材２及びカプセル３は、カプセル３に封入された内容液の浸透を防止するため、耐水又は耐油性能を有するワックス１２を成形紙４とフィルタ材２との密着する全面に塗布した１枚の成形紙４で包み込まれており、
　カプセル３には、液体からなる付香剤や吸着剤が封入された
カプセルフィルタシガレット７」
（２）引用例３
　原査定の拒絶の理由に引用され、本願の優先日前に頒布された刊行物である米国特許第４９８４５８９号（以下「引用例３」という。）には、次の事項が記載されている。
（ア）「Smoking articles, such as cigarettes, where the wrapper is a paper layer coated on the side facing the tobacco with a material for preventing the penetration of condensate or tar and the resultant formation of brown spots, is known from the Patent Document GB-A-21 43 150. Ethylene vinyl acetate (EVA), polyvinyl acetate (PVA), polyvinyl alcohol (PVOH), carboxymethylcellulose (CMC), starch and nitrocellulose lacquer are suggested as the coating.」（第２欄４〜１２行、当審訳：タバコのような喫煙物において、ラッパーは、凝縮物又はタールの侵入を防止するための材料をタバコに面する側で被覆した紙層である。そして、結果として褐色斑の形成が、特許文献GB-A-21 43 150で知られている。エチレン酢酸ビニル(EVA)、ポリ酢酸ビニル(PVA)、ポリビニルアルコール(PVOH)、カルボキシメチルセルロース(CMC)、デンプン、ニトロセルロース・ラッカーが上記被覆として提案されている。）
３　本願発明と引用発明の対比
（１）対比
　本願発明と引用発明とを対比する。
（ア）引用発明の「シガレットフィルタ１」は、その作用及び構造から本願発明の「マウスピース」に相当し、同様に「たばこロッド９」は「喫煙可能材料」に、「カプセルフィルタシガレット７」は「喫煙物品」に、「空洞６」は「キャビティ」に、「カプセル３」は「カプセル」に、「成形紙４」は「第１のラッパー」にそれぞれ相当する。
　
（イ）引用発明の「フィルタ材２が間隔を存して一方向に並べられ、フィルタ材２の間に空洞６が形成され」る態様は、軸方向に、フィルタ材２、空洞６、フィルタ材２の順に配置されていることであり、それぞれが１つのセグメントと表現できるから、本願発明の「軸方向に整列した少なくとも３つのセグメントを含」む態様に相当する。
　
（ウ）そして、引用発明の「ここに、潰すことにより、内容液たる付香剤や吸着剤が放出されるカプセル３が配設されて」いることは、カプセル３が内容液を含有し、破壊可能なものであり、フィルタ材２の間に形成される空洞６に配設されていることであるから、本願発明の「１つのセグメントは、他の２つのセグメント間に配置された、破壊可能な流体含有カプセルが内部に配置されたキャビティを定め」ていることに相当する。
（エ）引用発明の「複数のフィルタ材２及びカプセル３は、カプセル３に封入された内容液の浸透を防止するため、耐水又は耐油性能を有するワックス１２を成形紙４とフィルタ材２との密着する全面に塗布した１枚の成形紙４で包み込まれて」いることと、本願発明の「該キャビティの少なくとも一部の上に重なり合う実質的に滑らかな透明部分を含む、透明ワニスを塗布された１又はそれ以上の層を有する第１のラッパーが、該第１のラッパーを通して前記カプセルが少なくとも部分的に見えるように少なくとも前記キャビティを取り囲」むこととは、「第１のラッパーが、少なくとも前記キャビティを取り囲むこと」の限りで一致する。
（オ）引用発明の「カプセル３には、液体からなる付香剤や吸着剤が封入された」態様は、本願発明の「前記カプセルの流体は、添加物又は香味で形成され、又はこれらを含む」態様に相当する。
　
　したがって、本願発明と引用発明とは、以下の点で一致し、以下の点で一応相違する。
＜一致点＞
「喫煙可能材料及びマウスピースを含む喫煙物品であって、
　該マウスピースは、軸方向に整列した少なくとも３つのセグメントを含み、１つのセグメントは、他の２つのセグメント間に配置された、破壊可能な流体含有カプセルが内部に配置されたキャビティを定め、
　第１のラッパーが、少なくとも前記キャビティを取り囲み、
　前記カプセルの流体は、添加物又は香味で形成され、又はこれらを含む
喫煙物品。」
＜相違点＞
　本願発明では、「該キャビティの少なくとも一部の上に重なり合う実質的に滑らかな透明部分を含む、透明ワニスを塗布された１又はそれ以上の層を有する第１のラッパーが、該第１のラッパーを通して前記カプセルが少なくとも部分的に見えるように少なくとも前記キャビティを取り囲」むのに対して、引用発明は、複数のフィルタ材２及びカプセル３が、カプセル３に封入された内容液の浸透を防止するため、耐水又は耐油性能を有するワックス１２を成形紙４とフィルタ材２との密着する全面に塗布した１枚の成形紙４で包み込まれており、透明部分を含むかどうか不明である点。
　
（２）当審の判断
　上記相違点について検討する。
　香料粒子や香料ビーズを内蔵したシガレットのフィルターにおいて、香料粒子や香料ビーズを視認するために、フィルター巻紙、チップペーパー、成型紙を透明部分を含むものとすることは、本願優先日前に周知の技術（例えば、原査定の拒絶の理由に引用された実願昭６３−２１８８１号（実開平１−１２７４９５号）のマイクロフィルム、中国実用新案第２０１６６７９８５号明細書参照。）である。
　そして、引用発明は、カプセル３を潰すことにより、内容液たる付香剤や吸着剤が放出するものであるから、利便性向上のため、前記周知技術を適用し、成形紙４に透明部分を設けて、カプセル３を視認可能とすることは、当業者が容易に想到し得たことである。
　また、引用発明は、カプセル３に封入された内容液の浸透を防止するために、耐水又は耐油性能を有するワックス１２を成形紙４とフィルタ材２との密着する全面に塗布した１枚の成形紙４で包み込むものであるところ、ワックス１２以外の浸透防止材料を用い得ることは、引用例２の記載から明らかである。そして、ワニスが耐水耐油性を有することは周知であって、引用例３には、タバコに用いるラッパーを、凝縮物やタールの浸入を防止することを目的に、ニトロセルロースラッカー（本願発明の「ワニス」に相当。本願明細書の【００２３】、【００２４】参照。）で被覆することが記載されていることも参照すると、引用発明において、ワックスに換えてワニスを用いることは、上記周知の事項や引用例３に記載の事項を踏まえて、当業者が容易に想到し得たことであり、上記のとおりカプセル３を視認することを考慮すると、透明なワニスを選択することは当然のことである。
　したがって、引用発明において、カプセル３に封入された内容液の浸透防止を維持しつつ、カプセル３を視認可能とするために、前記周知技術を適用して、成形紙４に透明部分を設けるとともに、周知ないし引用例３に記載の事項を踏まえて、浸透防止材料として、ワックス１２に代えて透明ワニスを用いることは、当業者が容易に想到し得たことである。
＜本願発明の奏する効果について＞
　本願発明の奏する効果は当業者が引用発明、周知技術、及び引用例３に記載の事項から予測し得る範囲内のものにすぎず、格別顕著なものということはできない。  
３　むすび
　したがって、本願発明は、引用発明、周知技術、及び引用例３に記載の事項に基いて、当業者が容易に発明をすることができたものであるから、特許法第２９条第２項の規定により、特許を受けることができない。
　
　
第４　まとめ 
　以上のとおり、本願発明は、特許法第２９条第２項の規定より特許を受けることができないものであるから、他の請求項に係る発明について検討するまでもなく、本願は拒絶すべきものである。 
 　 
 　よって、結論のとおり審決する。